(57)【要約】【課題】洗堀を防止すると共に施工性及び止水性に優れる根入れブロックの連結構造、根入れ基礎ブロック及び連結プレートを提供する。【解決手段】計画河床Ａより下方に埋設する根入れ基礎ブロック１０同士の連結構造において、前記根入れ基礎ブロックが水平面に対して鉛直方向に延びる板状の本体部２０を備えており、当該本体部の左右の端面のうち一方の端面に雌型嵌合部６０を形成し、他方の端面に雄型嵌合部５０を形成し、隣り合う２つの根入れ基礎ブロックのうち一方の根入れ基礎ブロックの雌型嵌合部に他方の根入れ基礎ブロックの雄型嵌合部を嵌合させることで、これら２つの根入れ基礎ブロック同士を水平方向に相対的に回転可能な状態で連結する。【選択図】図９
2013221327.tif 000002
【特許請求の範囲】
【請求項１】
計画河床より下方に埋設する根入れ基礎ブロック同士の連結構造において、
前記根入れ基礎ブロックが水平面に対して鉛直方向に延びる板状の本体部を備えており、
当該本体部の左右の端面のうち一方の端面に雌型嵌合部を形成し、他方の端面に雄型嵌合部を形成し、
隣り合う２つの根入れ基礎ブロックのうち一方の根入れ基礎ブロックの雌型嵌合部に他方の根入れ基礎ブロックの雄型嵌合部を嵌合させることで、これら２つの根入れ基礎ブロック同士を水平方向に相対的に回転可能な状態で連結することを特徴とする根入れ基礎ブロックの連結構造。
【請求項２】
隣り合う２つの根入れ基礎ブロックの上端面同士及び下端面同士に掛け渡す連結プレートを備え、
当該連結プレートの一方の端部には複数本のピンが立設されており、他方の端部には１本のピンが立設されており、
一方の根入れ基礎ブロックの前記上下各端面のうち雌型嵌合部が形成されている側には前記複数本のピンの各々が挿入される複数の開口が形成されており、他方の根入れ基礎ブロックの前記上下各端面のうち雄型嵌合部が形成されている側には前記１本のピンが挿入される１つの開口が形成されており、
前記各ピンを前記各開口に挿入することで、２つの根入れ基礎ブロック同士を連結することを特徴とする請求項１に記載の根入れ基礎ブロックの連結構造。
【請求項３】
計画河床より下方に埋設する根入れ基礎ブロックにおいて、
水平面に対して鉛直方向に延びる板状の本体部を備えており、
当該本体部の左右の端面のうち一方の端面に雌型嵌合部を形成し、他方の端面に雄型嵌合部を形成したことを特徴とする根入れ基礎ブロック。
【請求項４】
前記本体部の下部には前後方向に延びる脚部が形成されていることを特徴とする請求項３に記載の根入れ基礎ブロック。
【請求項５】
前記本体部の上下各端面のうち雌型嵌合部が形成されている側には複数の開口が形成されており、雄型嵌合部が形成されている側には１つの開口が形成されていることを特徴とする請求項３又は４に記載の根入れ基礎ブロック。
【請求項６】
請求項５に記載の根入れ基礎ブロック同士を連結するための連結プレートにおいて、
当該連結プレートの一方の端部には複数本のピンが立設されており、他方の端部には１本のピンが立設されており、
隣り合う２つの根入れ基礎ブロックのうち一方の根入れ基礎ブロックに形成した前記複数の開口に前記複数本のピンの各々を挿入し、他方の根入れ基礎ブロックに形成した前記１つの開口に前記１本のピンを挿入することで、２つの根入れ基礎ブロックを水平方向に相対的に回転可能な状態で連結することを特徴とする連結プレート。
【発明の詳細な説明】
【技術分野】
【０００１】
本発明は、護岸ブロックの一部である根入れ基礎ブロックに関し、特に洗堀を防止すると共に施工性及び止水性に優れる根入れ基礎ブロックの連結構造、根入れ基礎ブロック及び連結プレートに関する。
【背景技術】
【０００２】
従来、河川の岸壁の損壊を防止したり、河川の生態系を保全する目的で護岸ブロックが使用されている。
また、河川の増水時等に護岸ブロックの下部に洗堀が発生し、護岸ブロックが倒壊することがあるため、これを防止するべく計画河床よりも下方に根入れ基礎ブロックを埋設することがある（特許文献１参照）。
根入れ基礎ブロックは洗堀が発生し易い箇所、例えば河川が外側にカーブしており、増水時等に水勢・水圧が高くなる箇所に配置するのが効果的である。
【０００３】
本明細書では、計画河床よりも下方に埋設するブロックを「根入れ基礎ブロック」と表記し、この根入れ基礎ブロックの上端に配置するブロックを「基礎ブロック」と表記し、この基礎ブロックの上方に配置して岸壁の壁面を構成するブロックを「壁面ブロック」と表記する。また、これら根入れ基礎ブロック、基礎ブロック及び壁面ブロックをまとめて「護岸ブロック」と表記する。
上記特許文献１にも示されている通り（図１６及び図１７参照）、根入れ基礎ブロック１の本体部（ほぼ矩形の板状のコンクリート部材）は、地盤から上方に向かうにつれて川の幅方向に拡がるように、水平面に対して傾斜して配置するのが一般的である。
【先行技術文献】
【特許文献】
【０００４】
【特許文献１】特開２００６−３４２５２１号公報
【発明の概要】
【発明が解決しようとする課題】
【０００５】
ところが、上記特許文献１に開示されたような従来の技術では以下のような問題があった。
すなわち、特許文献１の技術では、図１８に示す通り、河川がカーブしている箇所では左右に隣り合う根入れ基礎ブロックの間にパッキン１７を入れることで水の浸食を防止するようになっている。
【０００６】
これは、施工時に河川のカーブに沿って複数の根入れ基礎ブロックを順に配置していく際に、上述の通り根入れ基礎ブロックの本体部が水平面に対して傾斜しており、隣り合う２つの本体部の間に必然的に隙間が生じてしまうことから、この隙間を埋めるべくパッキンを入れて水密性を確保するものである。
このように、隣り合う２つの根入れ基礎ブロックの間にパッキンを介在させる作業は護岸ブロックの施工性を低下させるという問題や、経年変化によりパッキンにひび割れや欠損等の劣化が生じ、止水性を低下させるおそれがあるという問題があった。
なお、河川のカーブに沿った曲率を持つ根入れ基礎ブロックを製造することは型枠作製のコストの面から現実的ではない。
【０００７】
本発明はこのような問題に鑑み、洗堀を防止すると共に施工性及び止水性に優れる根入れブロックの連結構造、根入れ基礎ブロック及び連結プレートを提供することを目的とする。
【課題を解決するための手段】
【０００８】
本発明の根入れ基礎ブロックの連結構造は、根入れ基礎ブロックが水平面に対して鉛直方向に延びる板状の本体部を備えており、当該本体部の左右の端面のうち一方の端面に雌型嵌合部を形成し、他方の端面に雄型嵌合部を形成し、隣り合う２つの根入れ基礎ブロックのうち一方の根入れ基礎ブロックの雌型嵌合部に他方の根入れ基礎ブロックの雄型嵌合部を嵌合させることで、これら２つの根入れ基礎ブロック同士を水平方向に相対的に回転可能な状態で連結することを特徴とする。
【０００９】
また、隣り合う２つの根入れ基礎ブロックの上端面同士及び下端面同士に掛け渡す連結プレートを備え、当該連結プレートの一方の端部には複数本のピンが立設されており、他方の端部には１本のピンが立設されており、一方の根入れ基礎ブロックの前記上下各端面のうち雌型嵌合部が形成されている側には前記複数本のピンの各々が挿入される複数の開口が形成されており、他方の根入れ基礎ブロックの前記上下各端面のうち雄型嵌合部が形成されている側には前記１本のピンが挿入される１つの開口が形成されており、
前記各ピンを前記各開口に挿入することで、２つの根入れ基礎ブロック同士を連結することを特徴とする。
【００１０】
また、本発明の基礎ブロックは、計画河床より下方に埋設する根入れ基礎ブロックにおいて、水平面に対して鉛直方向に延びる板状の本体部を備えており、当該本体部の左右の端面のうち一方の端面に雌型嵌合部を形成し、他方の端面に雄型嵌合部を形成したことを特徴とする。
また、前記本体部の下部には前後方向に延びる脚部が形成されていることを特徴とする。
また、前記本体部の上下各端面のうち雌型嵌合部が形成されている側には複数の開口が形成されており、雄型嵌合部が形成されている側には１つの開口が形成されていることを特徴とする。
【００１１】
また、本発明の連結プレートは、上記根入れ基礎ブロック同士を連結するための連結プレートであり、当該連結プレートの一方の端部には複数本のピンが立設されており、他方の端部には１本のピンが立設されており、隣り合う２つの根入れ基礎ブロックのうち一方の根入れ基礎ブロックに形成した前記複数の開口に前記複数本のピンの各々を挿入し、他方の根入れ基礎ブロックに形成した前記１つの開口に前記１本のピンを挿入することで、２つの根入れ基礎ブロックを水平方向に相対的に回転可能な状態で連結することを特徴とする。
【発明の効果】
【００１２】
本発明の根入れ基礎ブロック及び根入れ基礎ブロックの連結構造によれば、本体部が水平面に対して鉛直方向に延びると共に、本体部の左右に雌型嵌合部と雄型嵌合部を備える。そして、雄型嵌合部と雌型嵌合部とを嵌合させることで、隣り合う２つの根入れ基礎ブロック同士を水平方向に相対的に回転可能な状態で連結する。
従って、施工時に河川がカーブしている箇所では根入れ基礎ブロックを適宜回転させながら位置決めすることで、根入れ基礎ブロックをカーブの曲率に合わせて正確且つ容易に配置することができ、洗堀を確実に防止できるのみならず高い施工性を得ることができる。また、雄型嵌合部と雌型嵌合部とを嵌合させるので高い止水性を得ることができる。
【００１３】
また、本体部が水平面に対して鉛直状態に起立しているので、根入れ基礎ブロックを回転させて配置した際にも、隣り合う２つの根入れ基礎ブロックの間に隙間が生じることがなく、止水性をより高めることができる。
また、河川がカーブしている箇所のみならず直線箇所にも使用できるので、カーブに沿った曲率を持つ根入れ基礎ブロックを製造する場合と比較して大幅に製造コストを抑えることができる。
【００１４】
また、従来の本体部が傾斜しているタイプの根入れ基礎ブロックと比較して、土砂を計画河床まで埋め戻す際の施工性を向上させることができる。
また、連結プレートを隣り合う２つの根入れ基礎ブロックの上端面同士及び下端面同士に掛け渡すことにすれば、２つの根入れ基礎ブロック同士をより強固に連結できる。
【図面の簡単な説明】
【００１５】
【図１】河川に護岸ブロックを配置した状態を示す概略図
【図２】根入れ基礎ブロックの平面図
【図３】根入れ基礎ブロックの底面図
【図４】根入れ基礎ブロックの正面図
【図５】根入れ基礎ブロックの背面図
【図６】根入れ基礎ブロックの右側面図（ａ）及び左側面図（ｂ）
【図７】連結プレートの正面図（ａ）、平面図（ｂ）及び斜視図（ｃ）
【図８】根入れ基礎ブロックの嵌合状態を示す図（ａ）及び（ｂ）
【図９】複数の根入れ基礎ブロックを配置した状態を示す平面図
【図１０】根入れ基礎ブロックの施工方法を示す図
【図１１】根入れ基礎ブロックの連結状態を示す縦断面拡大図
【図１２】根入れ基礎ブロックの施工方法を示す図
【図１３】根入れ基礎ブロックの連結状態を示す縦断面拡大図
【図１４】連結プレートの他の構成例を示す正面図（ａ）、平面図（ｂ）、斜視図（ｃ）及び連結状態を示す縦断面拡大図（ｄ）
【図１５】連結プレートの他の構成例を示す正面図（ａ）、平面図（ｂ）、斜視図（ｃ）及び連結状態を示す縦断面拡大図（ｄ）
【図１６】従来の根入れ基礎ブロックを示す図
【図１７】従来の根入れ基礎ブロックを示す図
【図１８】従来の根入れ基礎ブロックを示す図
【発明を実施するための形態】
【００１６】
本発明の根入れ基礎ブロックの連結構造、根入れ基礎ブロック及び連結プレートの実施の形態について説明する。
図１に示すように、根入れ基礎ブロック１０は計画河床Ａより下方に埋設するものであり、縦断面形状が逆Ｔ型になっている。そして、根入れ基礎ブロック１０の上端に基礎ブロックＢを配置している。基礎ブロックＢの上端面は法面の勾配に合わせて傾斜しており、この上端面から斜め上方に岸壁の壁面を構成する壁面ブロックＣを連続的に積み上げていくことで護岸ブロックＤを構成している。
【００１７】
図２〜図６に示すように、根入れ基礎ブロック１０は本体部２０と脚部３０によって概略構成されており、両者は内部に主筋、配力筋等を組み上げた上でコンクリートにより一体的に成形されている。
本体部２０は、水平面に対して鉛直方向に延びる矩形の板状の部材であり、根入れ基礎ブロック１０のいわゆるたて壁として機能する。本体部２０の一方の面の上部には複数の棚脚４０を設けており、この棚脚４０と本体部２０とで基礎ブロックを安定的に支える構造になっている。
【００１８】
また、本体部２０の左右の端面のうち左側の端面に雄型嵌合部５０を備えており、右側の端面に雌型嵌合部６０を備えている。
雄型嵌合部５０は本体部２０の左側の端面のほぼ全面に形成される凸型の半円柱形の部材であり、雌型嵌合部６０は本体部２０の右側の端面のほぼ全面に形成される凹型の半円柱形の部材である。なお、雄型嵌合部５０を右側、雌型嵌合部６０を左側に形成してもよい。
また、図２及び図３に示すように、本体部２０の上下各端面のうち雄型嵌合部５０が形成されている側（左側）にはそれぞれ１つの開口５１が形成されており、雌型嵌合部６０が形成されている側（右型）にはそれぞれ２つの開口６１が形成されている。なお、当該一つの開口は半円形の雄型嵌合部５０の中心位置に形成することが好ましい。
【００１９】
脚部３０は、本体部２０の下部から前後方向に延びる板状の部材であり根入れ基礎ブロック１０のいわゆるつま先版及びかかと版として機能する。脚部３０は、基礎コンクリートや砕石等で形成した基礎の上に本体部２０を前後方向に傾斜させずに鉛直方向に正確に載置できるよう本体部２０を支持している。また、図２に示すように、根入れ基礎ブロック１０を平面視した場合に脚部３０は雄型嵌合部５０及び雌型嵌合部６０よりも左右に突出しない程度の大きさにしている。これにより、根入れ基礎ブロック１０を屈曲させて配置した場合でも、隣り合う２つの根入れ基礎ブロック１０の脚部３０同士が干渉しないようになっている。
【００２０】
連結プレート７０は、図７に示すように、左右方向に隣り合う２つの根入れ基礎ブロック１０の上端面同士及び下端面同士に掛け渡す金属製の薄板状の部材である。
連結プレート７０の一方の端部には１本のピン７１が立設されており、他方の端部には２本のピン７２が立設されている。なお、各ピン７１、７２の立設位置は本体部２０の各開口５１、６１の位置と対応するように予め調整しておくものとする。
【００２１】
そして、詳しい説明は後述するが図８（ａ）に示すように、隣り合う２つの根入れ基礎ブロック１０のうち右側の根入れ基礎ブロック１０の雄型嵌合部５０を左側の根入れ基礎ブロック１０の雌型嵌合部６０に嵌合させると共に図８（ｂ）に示すように、これら２つの根入れ基礎ブロック１０を連結プレート７０で連結することで、図９に示すように、隣り合う２つの根入れ基礎ブロック１０は水平方向に相対的に回転可能な状態で連結されることになる。
【００２２】
次に、根入れ基礎ブロック１０の施工方法について説明する。
まず、計画河床Ａより根入れ高さ分（通常は５００ｍｍ〜１５００ｍｍ程度）を掘削し、地盤を平らに整地した後、コンクリートの打設や砂利の敷設等の周知の手段により基礎を形成する。
そして、基礎の上に最初の根入れ基礎ブロック１０（第１の根入れ基礎ブロック１０１）を載置する際に、作業者は連結プレート７０をピン７１、７２の先端が上向きになる状態で把持しておく。
【００２３】
次に、図１０及び図１１に示すように、連結プレート７０の複数本のピン７２を第１の根入れ基礎ブロック１０１の下端面に形成した複数本の開口６１に挿入した後、第１の根入れ基礎ブロック１０１を所定位置に固定する。この際に、第１の根入れ基礎ブロック１０１に連結プレート７０をねじ止めや接着剤等の周知の手段で固着させてもよく、あるいは単にピン７２を開口６１に挿入するだけでもよい。また、図１１（ａ）に示すように、連結プレート７０が根入れ基礎ブロック１０の下端面から下方に突出しないように、根入れ基礎ブロック１０の対応箇所に連結プレート７０を納めるための窪み１１を設けておくのが好ましい。
【００２４】
次に、図１２（ａ）に示すように、第１の根入れ基礎ブロック１０１の上方に吊り上げた第２の根入れ基礎ブロック１０２を降下させていき、当該第２の根入れ基礎ブロック１０２の下端面に形成した１つの開口５１に、連結プレート７０の１本のピン７１を挿入すると共に第１の根入れ基礎ブロック１０１の雌型嵌合部６０に第２の根入れ基礎ブロック１０２の雄型嵌合部５０を嵌合させる（図１１（ｂ）、図１２（ｂ））。
そして、第１の根入れ基礎ブロック１０の上端面に形成した複数本の開口６１と第２の根入れ基礎ブロック１０２の上端面に形成した１つの開口５１のそれぞれに連結プレート７０の各ピン７２、７１を挿入することで２つの根入れ基礎ブロック１０１、１０２同士の連結が完了する。
以後、上記連結作業を第３の根入れ基礎ブロック１０３、第４の根入れ基礎ブロック１０（図示略）の順に行っていくことで根入れ基礎ブロックの施工が完了する。
【００２５】
ここで、図９に示すように、河川が直線状になっている箇所については第１及び第２の根入れ基礎ブロック１０１、１０２のように各々を直線状に連結すればよく、また、河川がカーブしている箇所については第２及び第３の根入れ基礎ブロック１０２、１０３のようにカーブの曲率に合わせて第３の根入れ基礎ブロック１０３を第２の根入れ基礎ブロック１０２に対して適宜屈曲させて連結すればよい。
第２の根入れ基礎ブロック１０２と第３の根入れ基礎ブロック１０３の連結構造を見ると（図１３参照）、第２の根入れ基礎ブロック１０２は連結プレート７０に上下各２本のピン７２で固定されているため、第２の根入れ基礎ブロック１０２は連結プレート７０に対して水平方向に移動（回転）できないようになっている。
【００２６】
一方、第３の根入れ基礎ブロック１０３は連結プレート７０に上下各１本のピン７１で固定されているため、第３の根入れ基礎ブロック１０３は連結プレート７０に対して水平方向に移動（回転）可能な状態になっている。換言すると、第３の根入れ基礎ブロック１０３は、上下各１本のピン７１で固定された箇所を中心軸として、第２の根入れ基礎ブロック１０２に対して水平方向に回転可能な状態になっている。
従って、施工時に第３の根入れ基礎ブロック１０３を河川のカーブに沿って正確に位置決めした上で屈曲して配置できる。
【００２７】
また、第２の根入れ基礎ブロック１０２の雌型嵌合部６０の表面と第３の根入れ基礎ブロック１０３の雄型嵌合部５０の表面はほぼ接触しており、第３の根入れ基礎ブロック１０３を水平方向に回転させると、第３の根入れ基礎ブロック１０３の雄型嵌合部５０の表面は第２の根入れ基礎ブロック１０２の雌型嵌合部６０の表面を摺動しながら回転することになる。
このように、第２の根入れ基礎ブロック１０２の雌型嵌合部６０と第３の根入れ基礎ブロック１０３の雄型嵌合部５０との間に隙間がほとんど生じないため、隙間をパッキン等で埋める必要がほとんどなく、河川がカーブしている箇所であっても高い水密性を保ち、水の進入を効果的に防止することができる。なお、根入れ基礎ブロックの位置決めが完了した時点で当該隙間をゴム製のパッキンやコンクリート等で封鎖してもよい。
【００２８】
なお、上記実施の形態では、雌型嵌合部６０の側に２つの開口６１を設けることにしたが、開口６１の数は２つ以上の複数であればよい。同様に連結プレート７０の一方の端部に２本のピン７２を立設するものとしたが、２本以上の複数本であればよい。
また、２つの根入れ基礎ブロック１０同士を水平方向に相対的に回転可能な状態で連結するための他の方法としては、例えば図１４に示すように、連結プレート７３に複数本のピンの代わりに板状部材８０を立設し、根入れ基礎ブロック１０にこの板状部材８０を挿入するための長穴１２を設けることにしてもよい。
【００２９】
あるいは、図１５に示すように、金属製の棒状部材９０を雌型嵌合部６０の側に複数本埋設し、雄型嵌合部５０の側に１本埋設しておくことにしてもよい。この場合、連結プレート７４には各棒状部材を挿入するための開口１３を形成しておけばよい。
また、必ずしも連結プレート７０、７３及び７４は必要ではなく、例えば雌型嵌合部６０を弾性を有するゴム等で成形し、雄型嵌合部５０を雌型嵌合部６０に押し当てて当該ゴム部分を弾性変形させながら拡径し、雄型嵌合部５０を雌型嵌合部６０を嵌め込むことにしても２つの根入れ基礎ブロック１０同士を連結することができる。
また、本体部２０の背面には必要に応じてコンクリートや土砂等の裏込め材を配置してもよい。
【産業上の利用可能性】
【００３０】
本発明は、洗堀を防止すると共に施工性及び止水性に優れる根入れブロックの連結構造、根入れ基礎ブロック及び連結プレートに関するものであり、産業上の利用可能性を有する。
【符号の説明】
【００３１】
Ａ  計画河床
Ｂ  基礎ブロック
Ｃ  壁面ブロック
Ｄ  護岸ブロック
１０  根入れ基礎ブロック
１１  窪み
２０  本体部
３０  脚部
４０  棚脚
５０  雄型嵌合部
５１  開口
６０  雌型嵌合部
６１  開口
７０  連結プレート
７１  ピン
７２  ピン
１０１  第１の根入れ基礎ブロック
１０２  第２の根入れ基礎ブロック
１０３  第３の根入れ基礎ブロック
【図１】
2013221327.tif 000003
【図２】
2013221327.tif 000004
【図３】
2013221327.tif 000005
【図４】
2013221327.tif 000006
【図５】
2013221327.tif 000007
【図６】
2013221327.tif 000008
【図７】
2013221327.tif 000009
【図８】
2013221327.tif 000010
【図９】
2013221327.tif 000011
【図１０】
2013221327.tif 000012
【図１１】
2013221327.tif 000013
【図１２】
2013221327.tif 000014
【図１３】
2013221327.tif 000015
【図１４】
2013221327.tif 000016
【図１５】
2013221327.tif 000017
【図１６】
2013221327.tif 000018
【図１７】
2013221327.tif 000019
【図１８】
2013221327.tif 000020